(57)【要約】  外科用ナイフのハンドルは、ハンドル本体（１０２）と、該ハンドル本体の第一端部で画定されるブレード受入部（１０４）と、を備え、該ブレード受入部が、ブレード受入孔と、該ブレード受入孔の第一側面へ延びるブレード支持部（１１８）と、を有している。外科用ナイフは、ハンドルと、該ハンドルの第一端部で画定されるブレードと、該ブレードの第一側面へ延びるブレード支持部と、を有している。
2013504356.tif 000002
【特許請求の範囲】
【請求項１】
ハンドル本体と、
前記ハンドル本体の第一端部において画定されるブレード受入部と、
を備え、
前記ブレード受入部が、ブレード受入孔と、該ブレード受入孔の第一側面へ延びるブレード支持部とを有する外科用ナイフのハンドル。
【請求項２】
前記ブレード受入部が、前記ハンドル本体の第一部と、前記ハンドル本体の第二部とを有し、
前記第一部が、前記ブレード受入孔の第一側面上に画定され、
前記第二部が、前記ブレード受入孔の第二側面上に画定され、
前記ブレード支持部が、前記第二部よりも前記ブレード受入孔からさらに延びている前記第一部により画定されている請求項１に記載の外科用ナイフのハンドル。
【請求項３】
前記ハンドル本体の前記第二部が、前記ブレード受入孔と略同一平面である請求項２に記載の外科用ナイフのハンドル。
【請求項４】
前記ブレード支持部が、前記ブレード受入孔から離れるにつれて細くなる請求項１から請求項３のいずれか一項に記載の外科用ナイフのハンドル。
【請求項５】
前記ブレード支持部が、ブレード支持面と、該ブレード支持面に対向する半円錐面とを画定する請求項４に記載の外科用ナイフのハンドル。
【請求項６】
前記ブレード支持部が、平坦面状ブレード支持面を画定する請求項１から請求項５のいずれか一項に記載の外科用ナイフのハンドル。
【請求項７】
前記ブレード受入孔が、境界面と、該境界面から延びる前記平坦面状ブレード支持面とによって画定される請求項６に記載の外科用ナイフのハンドル。
【請求項８】
前記ハンドルが、主軸を画定し、
前記ブレード受入部が、前記主軸に対してある角度をなす平面を画定し、
前記ブレード受入孔が、前記平面内に画定される請求項１から請求項７のいずれか一項に記載の外科用ナイフのハンドル。
【請求項９】
前記平面が、前記主軸に対して直角をなしている請求項８に記載の外科用ナイフのハンドル。
【請求項１０】
ハンドルと、
前記ハンドルの第一端部において画定されるブレードと、
前記ブレードの第一側面へ延びるブレード支持部と、
を備える外科用ナイフ。
【請求項１１】
前記ブレードが、ブレード根部において前記ハンドルと連結し、
前記ハンドルが、前記ブレード根部の第一側面上に画定される第一部と、前記ブレード根部の第二側面上に画定される第二部と、を有し、
前記ブレード支持部が、前記第二部よりも前記ブレードの方向にある前記ブレード根部からさらに延びる前記第一部により画定される請求項１０に記載の外科用ナイフ。
【請求項１２】
前記ブレード支持部が、前記ブレード根部から離れるにつれて細くなる請求項１１に記載の外科用ナイフ。
【請求項１３】
前記ブレード支持部が、前記ブレードに対向する半円錐面を画定する請求項１２に記載の外科用ナイフ。
【請求項１４】
前記ブレード支持部が、前記ブレードに隣接した平坦面状ブレード支持面を画定する請求項１１から請求項１３のいずれか一項に記載の外科用ナイフ。
【請求項１５】
前記ブレードが、第一面取部および第二面取部上の刃先を画定し、
前記面取部が、異なる角度で傾斜している請求項１１から請求項１４のいずれか一項に記載の外科用ナイフ。
【請求項１６】
前記第二面取部が、前記第一面取部よりも前記ハンドルに近く、かつ、前記第一面取部よりも前記ハンドルの中心軸に対して小さい角度で傾斜している請求項１５に記載の外科用ナイフ。
【請求項１７】
前記ブレード支持部が、前記ブレードと一体となっている請求項１１から請求項１３のいずれか一項に記載の外科用ナイフ。
【発明の詳細な説明】
【技術分野】
【０００１】
本発明は、外科用ナイフのハンドルおよび外科用ナイフに関するものである。詳細には、本発明は、ブレードのハンドルから突出しているナイフ・ブレードを支持するブレード支持構造を有している外科用ナイフのハンドルおよび外科用ナイフに関するものである。
【背景技術】
【０００２】
白内障手術などの眼科手術は、専門のナイフによって行われる。このような専門のナイフは、外科医がしっかりと握るためのハンドル部と、切開を行うためにハンドル部から突出したブレードと、を備えている。一般的に、ハンドルは、主軸を有する略円筒状である。ブレードは、ハンドルから略主軸の方向へ突出している。
【０００３】
ブレードおよびハンドル構成部分が別個とされたこのようなナイフがよく所望されている。例えば、ハンドルがプラスチック素材で構成され、ブレードの一部がハンドル部から突出するように、ブレードの根元がハンドルに組み込まれている。
【発明の概要】
【発明が解決しようとする課題】
【０００４】
平坦なブレードが用いられた場合には、横断面が可能な限り薄いブレードであることが望まれている。薄いブレードは、明確な切り口をもたらす。しかし、この薄いブレードは、より簡単に屈曲するという問題を生じる。ハンドル部から突出しているブレードの箇所は、支点としての機能を果たしている。この屈曲は、切開中に外科医がブレードの道筋を越えてしまうといった、外科医のコントロールに対して悪影響をおよぼす。
【０００５】
本発明は、改善されたナイフ・ブレードおよびナイフを提供することを目的とする。
【課題を解決するための手段】
【０００６】
本発明の第１の態様に係る外科用ナイフのハンドルは、ハンドル本体と、ハンドル本体の第一端部で画定されるブレード受入部と、を有し、ブレード受入部が、ブレード受入孔と、該ブレード受入孔の第一側面へ延びるブレード支持部とを有している。
【０００７】
本発明の第２の態様に係る外科用ナイフは、ハンドルと、ハンドルの第一端部で画定されるブレードと、ブレードの第一側面へ延びるブレード支持部とを有している。
【発明の効果】
【０００８】
ハンドルから突出したブレードの側面にブレード支持部を設けることで、ブレードが支持されるため、ブレードによって生じる屈曲量が低減される。したがって、外科医が切開を行う際に、著しく精密さが増す。
【図面の簡単な説明】
【０００９】
【図１】本発明に係るナイフの斜視図である。
【図２】図１のナイフの一部の拡大図である。
【図３】図１のナイフの一部の下面の拡大図である。
【図４】図１のナイフの一部の側面図である。
【図５】図１のナイフのハンドルのうちブレードを除いた斜視図である。
【図６】図５のハンドルの一部の拡大図である。
【発明を実施するための形態】
【００１０】
以下、ナイフのハンドルおよびナイフの一例について、添付の図面を参照して説明する。
【００１１】
図１を参照すると、外科用ナイフ１００は、ハンドル１０２と、ブレード部材１０４と、を有している。
【００１２】
ハンドル１０２は、円筒部１０６と、円筒部１０６から延びた円錐台状部１０８と、を有している。
【００１３】
図２を参照すると、円筒部１０６の反対側に位置する円錐台状部１０８の端部において、軸Ａに対して垂直に画定された面１１０が設けられている。図６から見てとれるように、面１１０は、ハンドル１０２内にて軸Ａに平行に延びるＴ字形の孔１１２を有している。Ｔ字形の孔１１２は、細長い穴１１４と、細長い穴１１４に対して直角に設けられた突出脚部１１６と、を有している。
【００１４】
Ｔ字形の孔１１２を形成するために用いられる雄型治具が構造的に堅くて曲がらないように、Ｔ字形の孔１１２が設けられる。
【００１５】
さらに、ハンドル１０２は、軸Ａに対して略平行な方向に円錐台状部１０８から離れ、面１１０から突出しているブレード支持部材１１８を画定している。ブレード支持部材１１８は、平坦面状ブレード支持面と半円錐形状面１２２とにより画定されている。ブレード支持面１２０は、Ｔ字形の孔１１２の細長い穴１１４の先端から延びている。ブレード支持部材１１８と反対側面１１０の部分は、Ｔ字形の孔１１２と同一平面となっている。詳細には、ブレード支持部材１１８は、ブレード部材１０４の一側に沿って延びている。
【００１６】
ブレード部材１０４は、略長方形で、テーパ部を介してブレードネック１２６に向かうにつれて先細くなるブレードの根部１２４を有している。細いブレードネック１２６は、使用する際に、ユーザの視認性の向上に役立つ。
【００１７】
図２に示すように、ブレード部材１０４は、さらに、切削ヘッド１３０を有している。切削ヘッド１３０は、ネック部１２６から延び、かつ、幅が広がっているネック１３２を有している。切削ヘッド１３０は、先端部１３４と、第１面取部１３６と、第２面取部１３８とを有している。第２面取部１３８は、第１面取部１３６よりも軸Ａに対して浅い角度で傾いている。したがって、患者の角膜にナイフを挿入する上で、まず、第１面取部１３６が挿入され、所望の切り込みを入れるために、外科医が抵抗に変化を感じ、挿入角度を変更する。
【００１８】
ナイフ１００が組み立てられる際に、テーパ部１２８の底面とネック１２６とがブレード支持面１２０に当接するように、ブレード１０４の根部１２４がＴ字形の孔１１２に挿入される。ブレードは、公知の手段（たとえば、接着剤）で、ハンドルに固定される。
【００１９】
上述したように、使用上、外科医は、頻繁にユーザの目に対してナイフ・ブレードの角度を変更する必要がある。ブレードの屈曲を防ぐために、ブレード１０４の切削ヘッド１３０の第１面取部から第２面取部への推移において求められるフィードバックの抑制によって、より正確なコントロールが可能となるように、ブレード支持部材が屈曲を阻止する。
【００２０】
なお、図２に示されているように、ブレード支持部材１１８をテーパ形状とすることによって、ブレード支持部材がブレード１０４で覆い隠されることを可能としている。したがって、ナイフを見下ろす場合に、図２に示されているように、ブレード支持部材１１８は、外科医の視界を遮らない。
【００２１】
さらに、ブレード支持部材の先端が近づくことにより要求される反力が低減される。なぜならば、支点（面１１０からブレード部材１０４が突出している箇所）までの距離が増しているからである。したがって、ブレード支持部材１１８のテーパ形状が、ブレードを支持する上で、材料の最適な使用を可能とする。
【００２２】
なお、ハンドル１０２は、孔１１２へ挿入され得る多様なブレードと共に用いることができる。
【００２３】
本発明の趣旨を逸脱しない範囲で上記の実施形態の変形を行ってもよい。
【００２４】
上記における利点は、（例えば、金属ブロック材から削り出された）単体のハンドルやブレードによって達成することができる。
【００２５】
ブレード支持部材の面１２２が円錐台形状である必要はない。面は、平面、多角形、あるいは、その他の適切な形状であってもよい。ブレード支持部材は、テーパ形状でなくてもよいが、非テーパ支持部材であることは、機械的な効果がなく、また、外科医の視界を遮るため、好ましくない。
【図１】
2013504356.tif 000003
【図２】
2013504356.tif 000004
【図３】
2013504356.tif 000005
【図４】
2013504356.tif 000006
【図５】
2013504356.tif 000007
【図６】
2013504356.tif 000008
【国際調査報告】
2013504356.tif 000009
2013504356.tif 000010
2013504356.tif 000011